【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】
テレビジョン放送波を受信する装置であって、
放送波を受信すると共に前記受信した放送波より映像コンテンツとデータ放送コンテンツからなるデータストリームを生成する受信手段と、
前記データストリームに含まれるデータ放送コンテンツが第１の方式のデータ放送コンテンツと第２の方式のデータ放送コンテンツの何れであるかを検出するデータ放送検出手段と、
前記データ放送検出手段により前記第２の方式のデータ放送コンテンツを検出した場合に、前記データストリーム中の第２のデータ放送コンテンツを外部のアプリケーション実行装置に送信すると共に前記アプリケーション実行装置により処理された前記第２のデータ放送コンテンツに係る映像信号を入力する通信手段と、
前記第２のデータ放送コンテンツに係る映像信号を表示装置に表示する表示制御手段とを備える受信装置。
【請求項２】
テレビジョン放送波を受信する装置であって、
放送波を受信すると共に前記受信した放送波より映像コンテンツとデータ放送コンテンツからなるデータストリームを生成する受信手段と、
前記データストリームに含まれるデータ放送コンテンツが第１の方式のデータ放送コンテンツと第２の方式のデータ放送コンテンツの何れであるかを検出するデータ放送検出手段と、
前記データ放送検出手段により前記第２の方式のデータ放送コンテンツを検出した場合に、前記データストリーム中の第２のデータ放送コンテンツを外部のアプリケーション実行装置に送信すると共に前記アプリケーション実行装置より前記第２のデータ放送コンテンツを処理することにより得られたコマンド信号を入力する通信手段と、
前記通信手段により入力されたコマンド信号に従い前記第２のデータ放送コンテンツに係る映像信号を生成する映像処理手段と、
前記映像処理手段により生成された映像信号を表示装置に表示する表示制御手段とを備える受信装置。
【請求項３】
前記第１の方式のデータ放送コンテンツがレイアウト情報およびスクリプト情報を含むＸＭＬデータから構成され、前記第２の方式のデータ放送コンテンツがＪＡＶＡ（Ｒ）言語で記述され、コンパイル処理されたデータから構成されることを特徴とする請求項１または２記載の受信装置。
【請求項４】
操作部からの操作コマンドに応じて前記受信手段と前記表示制御手段とを制御する制御手段を備え、前記通信手段は更に、前記操作コマンドを前記アプリケーション実行装置に送信することを特徴とする請求項１または２記載の受信装置。
【請求項５】
前記通信手段は更に、前記アプリケーション実行装置から特定の操作コマンドの排他処理要求情報を入力し、前記制御手段は前記操作部からの操作コマンドが前記排他処理要求された特定の操作コマンドであった場合にはこの操作コマンドに対応した処理を実行しないことを特徴とする請求項４記載の受信装置。
【請求項６】
前記通信手段は前記アプリケーション実行装置からの表示要求コマンドを入力し、前記表示制御手段は前記表示要求コマンドに応じて前記第２のデータ放送コンテンツに係る映像信号を前記表示装置に出力することを特徴とする請求項１または２記載の受信装置。
【請求項７】
前記前記データストリーム中の前記第１のデータ放送コンテンツを処理して前記第１のデータ放送コンテンツに係る映像信号を生成するデータ放送処理手段を備え、前記表示制御手段は前記第１のデータ放送コンテンツに係る映像信号と前記第２のデータ放送コンテンツに係る映像信号とを選択的に前記表示装置に出力することを特徴とする請求項１または２記載の受信装置。
【請求項８】
前記通信手段は前記データストリーム中の映像信号も前記アプリケーション実行装置に送信すると共に、前記アプリケーション実行装置より前記データストリーム中の映像信号と前記第２のデータ放送コンテンツに係る映像信号とを合成した合成映像信号を入力し、前記表示制御手段はこの合成映像信号を前記表示装置に出力することを特徴とする請求項１記載の受信装置。
【請求項９】
前記前記データストリーム中の前記第１のデータ放送コンテンツを処理して前記第１のデータ放送コンテンツに係る映像信号を生成するデータ放送処理手段を備え、前記表示制御手段は前記第１のデータ放送コンテンツに係る映像信号と前記第２のデータ放送コンテンツに係る映像信号のうちの一方と前記データストリーム中の映像信号とを合成し、この合成した映像信号を前記表示装置に出力することを特徴とする請求項２記載の受信装置。
【請求項１０】
受信した放送波からストリーム信号を生成する受信手段と、
前記ストリーム信号から映像、音声および第１の方式または第２の方式のデータ放送コンテンツを含む放送データを取得するフィルタ手段と、
前記フィルタ手段から出力された映像および音声データをデコード処理するデコード手段と、
前記第１の方式のデータ放送コンテンツを処理するデータ放送処理手段と、
外部のデータ処理装置との間で通信を行う通信手段と、
グラフィック情報を格納するためのグラフィックメモリ手段と、
前記デコード手段からの映像と前記グラフィックメモリ手段からの信号を合成して表示装置に出力する表示合成手段と、
前記放送データが前記第１の方式のデータ放送コンテンツを有する場合には前記第１のデータ放送コンテンツの内容に基づき生成したグラフィックデータをグラフィックメモリに格納するよう前記データ放送処理手段と前記グラフィックメモリとを制御すると共に、前記放送データが前記第２の方式のデータ放送コンテンツを有する場合には前記データ処理装置に対して前記第２のデータ放送コンテンツを送信すると共にデータ放送再生開始を指示し、その結果得られた前記第２のデータ放送コンテンツに係るグラフィックデータを受信して前記グラフィックメモリに格納するよう前記通信手段と前記グラフィックメモリとを制御するシステム制御手段とを備える受信装置。
【請求項１１】
前記受信装置は更に第１のメモリを有し、前記データ放送処理手段は前記第１のデータ放送コンテンツに含まれるスクリプト処理からのデータ保存要求に従って前記放送データの一部を前記第１のメモリ手段に格納し、前記システム制御手段は前記通信手段により前記データ処理装置に対して前記第２のデータ放送コンテンツの処理を指示する際に前記第１のメモリに格納されている一部のデータを前記データ処理装置に送信し、前記データ処理装置はこの一部のデータを第２のメモリに格納し前記第２のデータ放送コンテンツからのデータ取得要求に従って前記第２のメモリに格納したデータを読み出すことを特徴とする請求項１０記載の受信装置。
【請求項１２】
前記データ処理装置は、前記第２のデータ放送コンテンツの処理中に前記第２のデータ放送コンテンツから動画表示要求を受けると、前記通信手段に対して動画ウィンドウの表示を指示し、前記システム制御手段は動画ウィンドウを表示するよう前記表示合成手段を制御することを特徴とする請求項１０記載の受信装置。
【請求項１３】
受信した放送波からストリーム信号を生成する受信手段と、
前記ストリーム信号から映像、音声および、ＸＭＬで記述されたＸＭＬデータまたはＪＡＶＡ（Ｒ）言語によって記述されたアプリケーションプログラムを含む放送データを取得するフィルタ手段と、
前記フィルタ手段から出力された映像および音声データをデコード処理するデコーダと、
前記ＸＭＬデータで構成されるデータ放送コンテンツを処理するデータ放送処理手段と、
グラフィック情報を格納するグラフィックメモリと、
前記デコーダからの映像信号と前記グラフィックメモリ手段からの映像信号とを合成して表示装置に出力する表示合成手段と、
ＪＡＶＡ（Ｒ）アプリケーションプログラムを実行するアプリケーション実行手段を有する外部のデータ処理装置との間で通信を行う通信手段と、
前記放送データがＸＭＬデータを有する場合にはこのＸＭＬデータの内容に基づき生成したグラフィックデータをグラフィックメモリに格納するよう前記データ放送処理手段と前記グラフィックメモリとを制御すると共に、前記放送データがＪＡＶＡ（Ｒ）アプリケーションプログラムで構成されるデータを有する場合には、前記データ処理装置に対して前記ＪＡＶＡ（Ｒ）アプリケーションプログラムを送信すると共にアプリケーションの実行開始を指示するシステム制御手段とを備え、
前記データ処理装置は前記ＪＡＶＡ（Ｒ）アプリケーションの実行を開始すると共に、アプリケーションプログラムに従って生成したグラフィック情報を前記通信手段を介して前記グラフィックメモリに格納することを特徴とする受信装置。
【請求項１４】
放送波を受信し、ストリーム信号を生成する受信手段と、前記ストリーム信号から映像、音声および放送データを取得するフィルタ手段と、
前記ストリーム信号を外部装置に出力するか否かを決定するストリーム出力制御手段と、
前記フィルタ手段から出力された映像および音声データをデコード処理するデコーダと、
前記デコーダの処理結果を外部装置に出力するか否か決定する外部出力制御手段と、
前記デコーダからの信号と外部装置からの入力信号のうちどちらを入力し再生するかを決定する再生信号切替手段と、
システム制御手段とを有し、
前記システム制御手段は前記フィルタ手段で取得された放送データ中に実行できない方式のデータ放送データの入力を検出すると、前記外部装置に対して信号を出力するよう前記ストリーム出力制御手段と前記外部出力制御手段とを制御すると共に、前記外部装置から入力した信号を再生するよう前記再生信号切替手段を制御することを特徴とする受信装置。
【請求項１５】
デジタルテレビ受信装置とアプリケーション実行装置とが接続されたシステムであり、
前記デジタルテレビ受信装置は放送波を受信し、ストリーム信号を生成する受信手段と、前記ストリーム信号放送波から映像、音声および放送データを取得するフィルタ手段と、前記ストリーム信号を前記アプリケーション実行装置に出力するか否かを制御するストリーム出力制御手段と、前記フィルタ手段から出力された映像および音声データをデコード処理するデコード手段と、前記デコード手段の処理結果を前記アプリケーション実行装置に出力するか否かを制御する外部出力制御手段と、前記デコード手段からの信号と前記アプリケーション実行装置からの入力信号のうちどちらを入力し再生するかを選択する再生信号切替手段と、データ放送制御手段を有し、前記データ放送制御手段は前記フィルタ手段で取得された放送データ中に該デジタルテレビ受信装置では再生実行できない方式のデータ放送データの入力を認識すると、前記ストリーム出力制御手段、前記外部出力制御手段に対して信号を前記アプリケーション実行装置へ出力するよう制御を行い、さらに前記再生信号切替手段に対して前記アプリケーション実行装置から入力した信号を再生するよう制御を行うと共に、前記アプリケーション実行装置に対してアプリケーションの実行を要求するコマンドを送信することを特徴とし、
前記アプリケーション実行装置は前記デジタルテレビ受信装置から受信したストリーム信号から、放送データ信号を抽出する放送データフィルタ手段と、グラフィックメモリ手段と、前記デジタルテレビ受信装置からの映像信号と、前記グラフィックメモリ手段に格納されている信号と合成し出力する合成制御手段と、放送データ信号に含まれるプログラムの内容に従ってプログラムを実行するプログラム実行制御手段とを有し、前記プログラム実行制御手段は、前記デジタルテレビ装置からのアプリケーション実行コマンドを受信すると前記放送データ信号に含まれるプログラムの実行を開始すると共に、前記合成制御部からの出力を前記デジタルテレビ装置に対して出力するように制御することを特徴する受信システム。